(57)【要約】      （修正有）【課題】記録されている情報データの破壊、盗難、複製、収集行為を防ぎ、安全性及び操作性を向上する。【解決手段】ＩＣカード内蔵型携帯電話１０に内蔵している非接触型ＩＣカード機能を有した携帯電話用ＩＣカード認識センサー部１３に反応する外部機器（リーダー／ライター）２３から入出力された電磁波２４を遮断する電磁波シールドシート繊維１６をプラスチックシート１５に接着剤１７で接着してスライドガイド機構１８にはめ込み、プラスチックシート１５がスライドガイド機構１８より外れないようにストッパー１９を構成にする。【選択図】図２
0003113025.tif 000002
【実用新案登録請求の範囲】
【請求項１】
非接触型ＩＣカード機能を有し、携帯電話用ＩＣカードに情報データを記録しているＩＣカード内蔵型携帯電話に対して、前記ＩＣカード内蔵型携帯電話に内蔵している前記非接触型ＩＣカード機能を持ったセンサー部に反応する電磁波を遮断する電磁波シールド材料で前記センサー部をカバーするまたはカバーしない開閉機構を設置もしくは内蔵することを特徴としたセキュリティー機能付ＩＣカード内蔵型携帯電話。
【請求項２】
非接触型ＩＣカード機能を有し、携帯電話用ＩＣカードに情報データを記録しているＩＣカード内蔵型携帯電話に対して、前記ＩＣカード内蔵型携帯電話に内蔵している前記非接触型ＩＣカード機能を持ったセンサー部に反応する電磁波を遮断する電磁波シールド材料で前記センサー部をカバーするまたはカバーしない脱着機構を設置もしくは内蔵することを特徴としたセキュリティー機能付ＩＣカード内蔵型携帯電話。
【考案の詳細な説明】
【技術分野】
【０００１】  本考案は、非接触型ＩＣカード機能を有し、携帯電話用ＩＣカードに情報データを記録しているＩＣカード内蔵型携帯電話に対して、前記ＩＣカード内蔵型携帯電話に内蔵している前記非接触型ＩＣカード機能を持ったセンサー部に反応する電磁波を遮断する電磁波シールド材料で前記センサー部をカバーするまたはカバーしない開閉機構及び脱着機構を設置もしくは内蔵したセキュリティー機能付ＩＣカード内蔵型携帯電話に関するものである。
【背景技術】
【０００２】  従来の非接触型ＩＣカード機能が付属されているＩＣカード内蔵型携帯電話には、セキュリティー機能として前記ＩＣカード内蔵型携帯電話に内蔵している前記非接触型ＩＣカード機能を使用可能、または使用不可能に切り替えられるように個人の暗証番号や個人の指紋認証の照合などにより判断をおこなうように設定されている。
【考案の開示】
【考案が解決しようとする課題】
【０００３】  しかしながら上述の様に従来の非接触型ＩＣカード機能を内蔵し、携帯電話用ＩＣカードに情報データを記録しているＩＣカード内蔵型携帯電話は、前記ＩＣカード内蔵型携帯電話に内蔵している前記非接触型ＩＣカード機能を持ったセンサー部に反応する外部機器からの電磁波を遮断することができずに外部からのセキュリティーや保護がまったくなく、前記ＩＣカード内蔵型携帯電話に内蔵している携帯電話用ＩＣカードの破損や前記携帯電話用ＩＣカード内に記録されている情報データの盗難を目的とした外部機器からの複製や収集行為及び破損を防ぐことができなかった。【０００４】  さらに非接触型ＩＣカード機能が付属されているＩＣカード内蔵型携帯電話には個人の暗証番号や個人の指紋認証の照合などにより判断をしているセキュリティー機能が備わっているが、前記非接触型ＩＣカード機能の使用前、使用後には必ず認証が必要となり、前記ＩＣカード内蔵型携帯電話にある前記非接触型ＩＣカード機能使用時には大変操作性が悪く、また前記ＩＣカード内蔵型携帯電話を前記非接触型ＩＣカード機能使用中で放置していた場合に外部機器からの電磁波を遮断することができずに外部からのセキュリティーや保護がまったくなく、前記ＩＣカード内蔵型携帯電話に内蔵している携帯電話用ＩＣカードの破損や前記携帯電話用ＩＣカード内に記録された情報データの盗難を目的とした外部機器からの複製や収集行為及び破損を防ぐことができなかった。【０００５】  本考案は、このような従来の構成が有していた問題を解決しようとするものであり、前記ＩＣカード内蔵型携帯電話に対して前記ＩＣカード内蔵型携帯電話に内蔵している前記非接触型ＩＣカード機能のセンサー部に反応する電磁波を遮断する電磁波シールドシート材料を前記ＩＣカード内蔵型携帯電話に内蔵している前記携帯電話用ＩＣカードのセンサー部をカバーするまたはカバーしない開閉機構及び脱着機構を設置もしくは内蔵する構成により、前記ＩＣカード内蔵型携帯電話に内蔵している携帯電話用ＩＣカードの破損を防ぎ、前記携帯電話用ＩＣカード内に記録されている前記情報データの破損、盗難、複製、収集行為を防ぎ、前記ＩＣカード内蔵型携帯電話に対する安全性と操作性高めて前記情報データに対する万全なセキュリティーと外部からの保護を行いながら操作性の向上を実現することを目的とするものである。
【課題を解決するための手段】
【０００６】  前記問題を解決するために、本考案に係るセキュリティー機能付ＩＣカード内蔵型携帯電話は、次のように構成したものである。【０００７】  即ち、本考案の請求項１に記載の考案は、ＩＣカード内蔵型携帯電話に対して、前記ＩＣカード内蔵型携帯電話に内蔵している前記非接触型ＩＣカード機能のセンサー部に反応する電磁波を遮断する電磁波シールド材料で前記センサー部の正面に前記電磁波シールド材料でカバーするまたはカバーしない開閉機構を設置もしくは内蔵する構成を特徴とするセキュリティー機能付ＩＣカード内蔵型携帯電話である。【０００８】  即ち、本考案の請求項２に記載の考案は、ＩＣカード内蔵型携帯電話に対して、前記ＩＣカード内蔵型携帯電話に内蔵している前記非接触型ＩＣカード機能のセンサー部に反応する電磁波を遮断する電磁波シールド材料で前記センサー部の正面に前記電磁波シールド材料でカバーするまたはカバーしない脱着機構を設置もしくは内蔵する構成を特徴とするセキュリティー機能付ＩＣカード内蔵型携帯電話である。
【考案の効果】
【０００９】  上述のように、本考案のセキュリティー機能付ＩＣカード内蔵型携帯電話は前記ＩＣカード内蔵型携帯電話に内蔵している前記非接触型ＩＣカード機能のセンサー部に反応する電磁波を遮断する電磁波シールドシート材料を前記ＩＣカード内蔵型携帯電話に内蔵している前記携帯電話用ＩＣカードのセンサー部をカバーするまたはカバーしない開閉機構及び脱着機構を設置もしくは内蔵する構成により、前記ＩＣカード内蔵型携帯電話に内蔵している携帯電話用ＩＣカードの破損を防ぎ、前記携帯電話用ＩＣカード内に記録されている前記情報データの破損、盗難、複製、収集行為を防ぎ、前記ＩＣカード内蔵型携帯電話に対する安全性と操作性高めて前記情報データに対する万全なセキュリティーと外部からの保護を行いながら操作性の向上を実現して高い効果を発揮するものである。
【考案を実施するための最良の形態】
【００１０】  以下、本考案に係る携帯電話収納ケースの実施の形態を図１、図２、図３、図４に基づいて詳細に説明する。【００１１】  図１は本考案の一実施例を適用した一般的なＩＣカード内蔵型携帯電話に対して前記ＩＣカード内蔵型携帯電話に内蔵している前記非接触型ＩＣカード機能のセンサー部に反応する電磁波を遮断する電磁波シールドシート材料を前記ＩＣカード内蔵型携帯電話に内蔵している前記携帯電話用ＩＣカードのセンサー部の正面部にスライド式開閉機構を設置したセキュリティー機能付ＩＣカード内蔵型携帯電話の概要を模式的に示す構成説明図である。また、図２は本考案の一実施例を適用した図１のセキュリティー機能付ＩＣカード内蔵型携帯電話の断面図および外部機器からのセキュリティーの概要を模式的に示す構成説明図である。【００１２】  図３は本考案の一実施例を適用した一般的なＩＣカード内蔵型携帯電話に対して前記ＩＣカード内蔵型携帯電話に内蔵している前記非接触型ＩＣカード機能のセンサー部に反応する電磁波を遮断する電磁波シールドシート材料を前記ＩＣカード内蔵型携帯電話に内蔵している前記携帯電話用ＩＣカードのセンサー部の正面部にキャップ式脱着機構を設置したセキュリティー機能付ＩＣカード内蔵型携帯電話の概要を模式的に示す構成説明図である。また、図４は本考案の一実施例を適用した図３のセキュリティー機能付ＩＣカード内蔵型携帯電話の断面図および外部機器からのセキュリティーの概要を模式的に示す構成説明図である。【００１３】  即ち、図１、図２に示す実施例、一般的に使用されているＩＣカード内蔵型携帯電話１０に内蔵している非接触型ＩＣカード機能を有した携帯電話用ＩＣカード認識センサー部１３に反応する外部機器（リーダー／ライター）２３から入出力された電磁波２４を遮断する電磁波シールドシート繊維１６をプラスチックシート１５に接着剤１７で接着してスライドガイド機構１８にはめ込み、前記プラスチックシート１５が前記スライドガイド機構１８より外れないようにストッパー１９を構成にすることにより、前記ＩＣカード内蔵型携帯電話１０の非接触型ＩＣカード機能を使用しないときは前記プラスチックシート１５と一体化された前記電磁波シールドシート繊維１６を前記スライドガイド機構１８で閉鎖することで、前記ＩＣカード内蔵型携帯電話１０に内蔵している携帯電話用ＩＣカード１１の破損を防ぎ、前記携帯電話用ＩＣカード１１に記録されている情報データ１４の破損、盗難、複製、収集行為を防ぎ、前記ＩＣカード内蔵型携帯電話１０に対する安全性と操作性を高めて前記情報データ１４に対する万全なセキュリティーと外部からの保護を行うことが可能となる。【００１４】さらにＩＣカード内蔵型携帯電話１０の非接触型ＩＣカード機能使用時には前記プラスチックシート１５と一体化された電磁波シールドシート繊維１６をスライドガイド機構１８で開放することにより、使用時に個人の暗証番号や個人の指紋認証の照合をしなくても前記ＩＣカード内蔵型携帯電話１０内の非接触型ＩＣカード機能を有した携帯電話用ＩＣカード認識センサー部１３が使用可能となり、操作性の向上を実現して高い効果を発揮するものである。【００１５】  即ち、図３、図４に示す��施例、一般的に使用されているＩＣカード内蔵型携帯電話１０に内蔵している非接触型ＩＣカード機能を有した携帯電話用ＩＣカード認識センサー部１３に反応する外部機器（リーダー／ライター）２３から入出力された電磁波２４を遮断する電磁波シールドシート繊維１６を凸キャプ２０に接着剤１７で接着し、前記携帯電話用ＩＣカード認識センサー部１３に凹固定部２１を取り付け、また前記凸キャプ２０が紛失しないよう前記凹固定部２１と前記凸キャプ２０をナイロン製糸２２で結ぶ構成にすることにより、前記ＩＣカード内蔵型携帯電話１０の非接触型ＩＣカード機能を使用しないときは前記凹固定部２１に前記凸キャプ２０を固定することで、前記ＩＣカード内蔵型携帯電話１０に内蔵している携帯電話用ＩＣカード１１の破損を防ぎ、前記携帯電話用ＩＣカード１１に記録されている情報データ１４の破損、盗難、複製、収集行為を防ぎ、前記ＩＣカード内蔵型携帯電話１０に対する安全性と操作性を高めて前記情報データ１４に対する万全なセキュリティーと外部からの保護を行うことが可能となる。【００１６】  さらにＩＣカード内蔵型携帯電話１０の非接触型ＩＣカード機能使用時には前記電磁波シールドシート繊維１６と一体化された前記凸キャプ２０を前記凹固定部２１よりはずすことにより、使用時に個人の暗証番号や個人の指紋認証の照合をしなくても前記ＩＣカード内蔵型携帯電話１０の非接触型ＩＣカード機能を有した携帯電話用ＩＣカード認識センサー部１３が使用可能となり、操作性の向上を実現して高い効果を発揮するものである。【００１７】  上述の図１、図２で設置された前記スライド式開閉機構及び前記キャップ式脱着機構の内容は一例であり、ＩＣカード内蔵型携帯電話１０に前記スライド式開閉機構及び前記キャップ式脱着機構を内蔵しても良い。【００１８】  一般的に使用されている前記プラスチックシート１５及び凸キャプ２０に電磁波シールドシート繊維１６を固定する方法として、上述図１、図２の内容は一例であり、前記プラスチックシート１５及び凸キャプ２０に電磁波シールドシート繊維１６を固定する方法として、圧入、複合など多数存在する。【００１９】  通常の電磁波シールドシート繊維１６は、電磁波の周波数遮断範囲の仕様により材料及び構成内容が異なるが、材料としては、ニッケル、コバルト、クロム、アルミ、チタン、銀、プラチナ、金、銅、マンガンなどを使用してメッシュ状やシート状に加工構成するのが一般的に使用されている。【００２０】  上述の図１、図２で使用された電磁波シールドシート材は電磁波シールドシート繊維１６であるが、その他の材料として電磁波シールド不織布、電磁波シールドテープ、電磁波シールド粉体、電磁波シールドフィルムシート、電磁波シールド塗料、電磁波シールドゴム、電磁波シールドプラスチックなど多数存在し、用途や目的に合わせて複合設定することが可能である。【００２１】  従って本実施例の構成では、先に述べた従来例の場合と比較して次のようなそれぞれの効果が得られる。即ち、
（１）ＩＣカード内蔵型携帯電話に内蔵している前記非接触型ＩＣカード機能のセンサー部に反応する電磁波を遮断する電磁波シールドシート材料を開閉式スライド機構有するプラスチックシートに接着および構成することで、携帯電話用ＩＣカードに記録されている情報データの盗難を目的とした外部機器からの盗難、複製、収集行為を防ぎ、さらに前記携帯電話用ＩＣカード内にある前記携帯電話用ＩＣカードに記録されている前記情報データに対する盗難防止や破損防止が低コストで簡易にセキュリティーを強化することが可能である。
（２）ＩＣカード内蔵型携帯電話の携帯電話用ＩＣカード認識センサー部にある開閉式スライド機構を開放もしくは凸キャプを取りはずすことにより、使用時に個人の暗証番号や個人の指紋認証の照合をしなくても前記ＩＣカード内蔵型携帯電話内の非接触型ＩＣカード機能を有した携帯電話用ＩＣカード認識センサー部が使用可能となり、低コストで操作性の向上を実現して高いセキュリティー効果を発揮するものである。
【図面の簡単な説明】
【００２２】
【図１】  図１は本考案の一実施例を適用した一般的なＩＣカード内蔵型携帯電話に対して前記ＩＣカード内蔵型携帯電話に内蔵している前記非接触型ＩＣカード機能のセンサー部に反応する電磁波を遮断する電磁波シールドシート材料を前記ＩＣカード内蔵型携帯電話に内蔵している前記携帯電話用ＩＣカードのセンサー部の正面部にスライド式開閉機構を設置したセキュリティー機能付ＩＣカード内蔵型携帯電話の概要を模式的に示す構成説明図である。
【図２】  図２は本考案の一実施例を適用した図１のセキュリティー機能付ＩＣカード内蔵型携帯電話の断面図および外部機器からのセキュリティーの概要を模式的に示す構成説明図である。
【図３】  図３は本考案の一実施例を適用した一般的なＩＣカード内蔵型携帯電話に対して前記ＩＣカード内蔵型携帯電話に内蔵している前記非接触型ＩＣカード機能のセンサー部に反応する電磁波を遮断する電磁波シールドシート材料を前記ＩＣカード内蔵型携帯電話に内蔵している前記携帯電話用ＩＣカードのセンサー部の正面部にキャップ式脱着機構を設置したセキュリティー機能付ＩＣカード内蔵型携帯電話の概要を模式的に示す構成説明図である。
【図４】  図４は本考案の一実施例を適用した図３のセキュリティー機能付ＩＣカード内蔵型携帯電話の断面図および外部機器からのセキュリティーの概要を模式的に示す構成説明図である。
【符号の説明】
【００２３】１０    ＩＣカード内蔵型携帯電話
１１    携帯電話用ＴＣカード
１２    携帯電話受信送信アンテナ部
１３    携帯電話用ＩＣカード認識センサー部
１４    情報データ
１５    プラスチックシート
１６    電磁波シールドシート繊維
１７    接着剤
１８    スライドガイド機構
１９    ストッパー
２０    凸キャプ
２１    凹固定部
２２    ナイロン製糸
２３    外部機器（リーダー／ライター）
２４    電磁波
【図１】
0003113025.tif 000003
【図２】
0003113025.tif 000004
【図３】
0003113025.tif 000005
【図４】
0003113025.tif 000006